(57)【要約】本発明は、ゴルフプレーの練習を補助するための補助具10に関するものである。この補助具は、クラブヘッドとシャフトを有するゴルフクラブに取り付けられ、クラブヘッド近傍に位置している一方、クラブヘッド上又はゴルフクラブのシャフト上に装着することができる。前記補助具は、イメージを転送する装置22を備え、当該装置から補助具を使用しているゴルフプレーヤの頭部に向かうクラブヘッドの打撃面の前縁に対して垂直な視線を見ることができる。この装置は、磁石によってゴルフクラブに固定することができる。
2006513797.tif 000002
【特許請求の範囲】
【請求項１】
クラブヘッドとシャフトとを有するゴルフクラブに取り付けることができ、ゴルフクラブ又はゴルフクラブのシャフト上のクラブヘッド近傍位置に取り付け可能な、ゴルフの練習を補助するための補助具(10)であって、当該補助具は装置(22)を有し、この装置は、当該装置から前記補助具を使っているゴルフプレーヤの頭部に向かうクラブヘッドの打撃面の前縁に対して垂直な視線を感知可能なイメージを転送するものであり、磁石によってゴルフクラブに取り付け可能にしてなる補助具において、
前記装置(22)は、ゴルフクラブに接続ピース(14)によって取り付けられ、この接続ピース(14)はジョイント(16,18)を有し、当該ジョイント(16,18)は、クラブヘッドの打撃面に平行な軸周りに、かつ、クラブヘッドの打撃面の前縁に垂直な軸周りに、装置(22)に対して回転可能なものであることを特徴とするゴルフプレーの練習を補助するための補助具。
【請求項２】
請求項１において、前記装置(22)は、イメージを転送するための少なくとも1つの反射面を含むことを特徴とする補助具。
【請求項３】
請求項１において、前記装置(22)は、イメージを転送するためのプリズムを含むことを特徴とする補助具。
【請求項４】
請求項３において、前記プリズムは、矩形プリズム又はプリズムホイルであることを特徴とする補助具。
【請求項５】
請求項１において、前記装置(22)は、クラブヘッドの打撃面の前縁に対して垂直な方向に指向させたテレビカメラと、ゴルフクラブのシャフトに位置決めされたテレビスクリーンとを含むことを特徴とする補助具。
【請求項６】
請求項１乃至５のいずれか一項において、前記装置(22)は、レーザーポインタを付加して含むことを特徴とする補助具。
【請求項７】
請求項１乃至６のいずれか一項において、前記装置(22)に、適宜の十字ワイヤ(26,28)を配したことを特徴とする補助具。
【請求項８】
クラブヘッドとシャフトとを有するゴルフの練習を補助するためのゴルフクラブであって、ゴルフクラブのシャフトに取り付けられ、又は、シャフト内に組み込まれた装置を備え、この装置が、当該装置から前記ゴルフクラブを使っているゴルフプレーヤの頭部に向かうクラブヘッドの打撃面の前縁に対して垂直な視線を感知可能なイメージを転送してなるゴルフクラブにおいて、
前記装置(22)は、ゴルフクラブに接続ピースによって取り付けられ、この接続ピースはジョイント(16,18)を含み、当該ジョイント(16,18)は、クラブヘッドの打撃面に平行な軸周りに、かつ、クラブヘッドの打撃面の前縁に対して垂直な軸(22)周りに装置(22)に対して回転することができるものであることを特徴とするゴルフの練習を補助するためのゴルフクラブ。
【請求項９】
請求項８において、装置(22)は、イメージを転送するための1又はそれ以上の反射面を含むことを特徴とするゴルフクラブ。
【請求項１０】
請求項８において、装置(22)は、イメージを転送するためのプリズムを含むことを特徴とするゴルフクラブ。
【請求項１１】
請求項１０において、前記プリズムは、矩形プリズム又はプリズムホイルであることを特徴とするゴルフクラブ。
【請求項１２】
請求項８において、装置(22)は、クラブヘッドの打撃面の前縁に対して垂直な方向に指向させたテレビカメラと、ゴルフクラブのシャフトに位置決めされたテレビスクリーンとを含むことを特徴とするゴルフクラブ。
【請求項１３】
請求項８乃至１２のいずれか一項において、レーザーポインタを付加して備えることを特徴とするゴルフクラブ。
【請求項１４】
請求項８乃至１３のいずれか一項において、装置(22)に、好適な十字ワイヤ(26,28)を備えることを特徴とするゴルフクラブ。
【発明の詳細な説明】
【技術分野】
【０００１】
本発明は、ゴルフヘッドとシャフトとを有するゴルフクラブに固定させるのに好適なゴルフの練習を補助するための補助具、並びに、ゴルフの練習を補助するためのゴルフクラブとに関するものである。
【背景技術】
【０００２】
ゴルフ競技の練習を補助するための本発明に従う補助具、並びに、本発明に従うゴルフクラブは、特に、グリーン上のゴルフボールのパッティングの補助及び練習のために利用することができる。
【０００３】
ゴルフ競技において、最も難しい課題の一つは、グリーン上でのゴルフボールのパッティングである。熟練のゴルフプレーヤは、ゴルフの試合に勝つか負けるかはグリーンで決すると断言する。パッティングの練習中における主な問題は、ほとんど全てのプレーヤが、所望するゴルフボールの転がり軌道に関してクラブヘッドの打撃面を90°の角度に正しく位置合わせするための視力練習をしていないという事実である。その結果、ほとんどのプレーヤは、ゴルフボールを正しい転がり軌道で直接的にホールまでうまく導くことができない。
【０００４】
プレーヤの目を訓練するための従来の訓練方法は、クラブヘッドの打撃面がボルフボールの転がり軌道に対して正しい角度に達するまで、プレーヤを正すためにゴルフボールの転がり軌道を観察する第二の人物を有することで構成される。しかしながら、更なる問題として、補助人の大部分が、それぞれ、クラブヘッドの打撃面の正しい角度位置を認識すると共に、プレーヤに正しい指示を与えるための位置にいないことである。ゴルフクラブの打撃面が所望するゴルフボールの転がり軌道に対して90°の角度に達したときだけ、ゴルフボールを所望する転がり軌道に至らせることが可能となる。ホールから1メーターだけの距離からたった2°の偏差があっても、ゴルフボールはホールから外れてしまう。ホールに対して視線の指向性が不自然な狙いにあってしまう故、利用可能な補助具を有するプレーヤは、自分の狙いが正しいのか正しくないのかを自分自身で決することができない。それゆえ、第二の補助人のあるときだけ練習が可能となる。しかしながら、多くのゴルフプレーヤは、一人で練習することを好み、また、調整する補助人をいつも利用できるわけではないので、この問題は、技術的に解決することが望ましい。
【０００５】
この目的のために従来技術として、様々な補助具を利用することができる。一方、こうした従来技術として、磁石によってゴルフクラブに取り付け可能な鏡は既知であり、例えば、特開2000-093562号公報や米国特許第6095930号明細書に開示されたものがある。しかしながら、これら装置の不都合な点は、当該装置が、この目的のために特注されたゴルフクラブにだけ取り付けることができることである。更に、これら装置に関して不都合な点は、当該装置が、ゴルフクラブの打撃面を地面に対して正確に垂直且つ平行ではなく保持し、それどころか、例えば、前側又は後側に傾かせたり、地面の水平面に対して傾かせているゴルフプレーヤに使用できるように調整することは不可能であることである。同様の問題は、米国特許第5433444号明細書に開示された、ゴルフクラブのヘッドに固定的に取り付けたプリズム装置を有するゴルフクラブに関しても存在する。この場合にも、一方では、特別のゴルフクラブが必要とされ、他方では、異なるゴルフクラブの姿勢に対して個別的に装置を調整することが不可能である。
【０００６】
最終的に、米国特許第2822614号明細書による装置が存在する。この点では、プリズム又は鏡装置は、ゴルフクラブのシャフトの下端内にネジ留め金によって螺着される。この装置には、既に、一軸周りでの回転可能性がある。しかしながら、この装置は、組み立て及び分解が非常に煩雑である。更に、プレーヤが打撃面を前側又は後側に傾けた状態でゴルフクラブを保持する場合に対して必要とされるフレキシビリティが得られない。
【発明の開示】
【０００７】
それゆえ、本発明によって解決される課題は、市場で手に入る種々のゴルフクラブに簡単に取り付け及び取り外しすることができると共に、プレーヤに保持された個々のゴルフクラブの姿勢に調整することができるように、ゴルフプレーの練習を補助するための補助具を改良することにある。
【０００８】
本発明によれば、上記課題は、請求項に記載されたゴルフの練習を補助するための補助具、即ち、クラブヘッドの打撃面に平行な軸周りとクラブヘッドの打撃面に垂直な軸周りでの装置の回転可能性を許容するジョイントを有するスタンドによってゴルフクラブに接続される補助具によって解決される。
【０００９】
更に、本発明によれば、上記課題は、クラブヘッドの打撃面に平行な一軸周りとクラブヘッドの打撃面に垂直な一軸周りでの装置の回転を許容するジョイントを有するスタンドによってゴルフクラブに接続された光学的な転送装置を含み、クラブヘッドとシャフトとを有するゴルフの練習を補助するためのゴルフクラブによって解決される。
【００１０】
イメージを転送するための非常に簡単な装置は、イメージを転送するための少なくとも1つの反射面を含んでいる。最も簡単な場合には、前記反射面は、単に正しい角度に取り付けた鏡である。
【００１１】
改善された光学的な品質は、前記装置がイメージを偏向させるためのプリズムを含んでいるという特徴によって達成させることができる。
【００１２】
これに関連して、前記プリズムが矩形プリズム又はプリズムホイルであるときは特に有利である。プリズムホイルには、重量の軽減という利点がある。
【００１３】
更に、前記装置をクラブヘッドの打撃面の前縁に対して垂直に指向させたテレビカメラと、ゴルフクラブのシャフト又はクラブヘッドに設けたモニタ又はテレビスクリーンで構成することも可能である。モニタとしては、例えば、小型のLCDスクリーンを使うことができる。
【００１４】
付加的には、前記装置には、クラブヘッドの正しい向きを更に詳細に示すレーザーポインタを設けることができる。
【００１５】
より容易にクラブヘッドの正しい位置を見つけるため、前記装置は、適宜の十字ワイヤを設けることができる。
【００１６】
上記の結果、前記補助具は、故意に又は癖で、クラブヘッドの打撃面を地面に垂直ではなく保持し、それどころか、前方又は後方に僅かに傾かせているプレーヤにも使用させることができる。（例えば、スピン又はツイストによる特別な利点を達成するため。）多くの場合におけるこの癖は、パッティング中に維持される。更に、本発明に従う補助具は、地面に対して正確に垂直ではなく、僅かに傾いた状態でゴルフクラブのシャフトを保持しているプレーヤに使用させることもできる。
【００１７】
更に、クラブヘッドの打撃面の前縁に対して垂直な一軸周りに前記装置の回転を与えゴルフクラブに設けたジョイントによって前記装置を接続することが特に好ましい。
【００１８】
以下、図面を参照して、本発明の一実施例を更に詳細に説明する。
【００１９】
図1は、本発明に従うゴルフの練習を補助するための補助具を示す斜視説明図である。補助具10は、複数の磁石を備えたアダプタ12を有し、市場で手に入るゴルフクラブのほとんどに取り付けることができるようになされている。アダプタ12上に備えた接続ピース14は、クラブヘッドの打撃面の前縁に対して平行な軸周りを回転可能かつ固定可能なジョイント16を含み、同様に、接続ピース14上のジョイント18は、クラブヘッドの打撃面の前縁に垂直な軸20の周りを回転可能かつ固定可能である。
【００２０】
この接続ピース14の上端には、イメージを転送するための手段22が備えられている。これには、例えば、プリズム、矩形プリズム、鏡若しくはミラーホイル又はモニタ付きテレビカメラを採用できる。
【００２１】
符号24はプレーヤの視線を示し、符号26及び28は、本発明に従う補助具に関して更なる改良の可能性を狙いとして、装置22に取り付けることができる十字ワイヤを示す。
【００２２】
本発明の更なる形態によれば、イメージを転送するための装置は、直接的に、更には永久的に、ゴルフクラブのシャフトに取り付けることができ、又は、ゴルフクラブの該当するシャフト内に組み入れることができる。しかしながら、ゴルフゲームの現在の規則によれば、こうしたクラブは、トレーニング装置として使用することはできるが、競技に使用することはできない。しかしながら、本発明を導入した後に規則が対応して改正されることもあり得る。
【００２３】
本発明によれば、更に光学的な転送装置の代えて、それぞれ、グラブヘッドの打撃面の前縁に対して垂直に指向させたテレビカメラと、ゴルフクラブのシャフトにあるモニタとを使用することができる。モニタとしては、特に、LCDディスプレイが好適である。
【００２４】
その使用のため、図1に示す補助具は、磁石を備えたアダプタ12によって、直接的に、ゴルフクラブのクラブヘッドに取り付けられる。本発明に従う補助具は、ゴルフボールを打つ構えをするとき、同時に、プレーヤがクラブヘッドの打撃面をターゲット／ホールに正確に指向させることができると共に、その打撃面をコントロールすることができる。この結果、光学的な偏差装置22の視覚領域に備える十字ワイヤ26,28によれば、ゴルフボールとクラブヘッドから目を逸らすことなく、ターゲット／ホールを正確に狙うことが可能になる。このため、本発明によれば、100パーセント正確なゴルフクラブの指向性を達成することができる。ゴルフボールの転がり軌道を決定するとき熟練のゴルフプレーヤでさえ起こす誤った判断は、本発明に従う補助具によって直ちに直すことができる。なぜなら、望んだゴルフボールの転がり軌道が正しいかどうかをイメージ転送装置から直ちに認識することができるからである。本発明に従う補助具は、全てのゴルフプレーヤに、ゴルフゲーム中の最も重要なストローク、即ち、パッティングのためのストロークを正しく訓練するための最も望ましい訓練補助具として適している。これに関連して、特に重要なことは、本発明に従う補助具によって、ゴルフスポーツの全てのテキスト本に記述されているような方法、即ち、ゴルフボールを打つ構えをしてゴルフクラブを合せるまでの間及びストローク中、目を正確にゴルフボール上及びクラブヘッド上に垂直に維持するための方法でパッティングのためのストロークを正確に訓練することである。プレーヤは、本発明に従う補助具の光学装置22内を矢印24に沿って見ることにより、目をゴルフボールの上とゴルフクラブの上に完全に正しく維持するように強制され、この補助具の訓練が完全に必要でなくなったとき、良いストロークとなる。本発明に従う補助具で訓練すれば、プレーヤがクラブヘッドの必須かつ正確な指向性を学習することでテキスト本の姿勢を身に付けることになる。
【００２５】
本発明に従う補助具10は、右利き又は左利きのプレーヤであることの制限なく適用できる。
【００２６】
本発明に従う補助具の特別な利点は、本発明に従う補助具が簡単かつ後付けとして、市場で手に入るほとんどのゴルフクラブに取り付けることができ、同じ方法でゴルフクラブから取り外すことができるという事実にある。これは、本発明に従うアダプタ12によって達成される。本発明に従うこうしたアダプタ12は、図2に詳細な斜視説明図として示されている。
【００２７】
アダプタ12は、中空シリンダの形をした管状のピース30を有し、この管状のピース30は、基本的に矩形形状の薄い弾性部位32に着座する。前記プレート32のフロントコーナーには、円筒形の受け口34,36内にそれぞれ、非常に有効な永久磁石を備える。円筒形の磁石受け口34,36の下部端には、止め部38,40を備え、この止め部38,40が、クラブヘッドの取り付けの間、補助具の正確な方向確認に利用されている。
【００２８】
その取り付けは、止め部38,40がクラブヘッドのフロントアッパーエッジに接触している限り、受け口34,36内に設けた永久磁石がクラブヘッドに対して前記補助具を保持することにより行われる。普通、クラブヘッドの上方面は真っ直ぐではないので、プレート32の弾性は、受け口34,36内に設けた永久磁石がクラブヘッドの頂部側の湾曲に従うことを可能とし、前記補助具の磁気による優れた固定状態を保証することができる。
【００２９】
更に、市販のゴルフクラブには打撃面の上端を有するものがあるが、この打撃面の上端は、比較的薄く上側に突出した突条(ledge)をなし、本発明に従う補助具を、受け口34,36内に設けた永久磁石によって安全に固定できなくするので、受け口34,36と反対側のプレート32の側面には、更に矩形の永久磁石42を備え、この永久磁石42と、僅かに重なり合っている弾性プレート32とにより、本発明に従う補助具のための、更なる磁気固定手段を形成する。このアダプタ12の側面によって、本発明に従う補助具は、薄い突条突条としてなされるゴルフクラブの打撃面の後側先端エッジに取り付けることができる。
【００３０】
更に、管状のピース30の先端エッジには、２つの正確に対向するスロット状の凹み44,46を備える。これら凹み44,46と対応する中間ピース14の下部端に備えた突条は、アダプタ12を180°回転させることができるにも関わらず、アダプタ12を備える打撃面に対して正確な指向性で取り付けることができるように取り付けることができる。
【図面の簡単な説明】
【００３１】
【図１】本発明に従うゴルフの練習を補助するための補助具を示す斜視説明図である。
【図２】本発明に従う補助具を如何なるゴルフクラブにも取り付けることができるアダプタを示す斜視説明図である。
【図１】
2006513797.tif 000003
【図２】
2006513797.tif 000004
【国際調査報告】
2006513797.tif 000005
2006513797.tif 000006
2006513797.tif 000007
2006513797.tif 000008